(57)【要約】【課題】少ない設置空間で取り付けができ、漏れだした油の被覆体外への漏出を防ぐことができる通油体接続部の保護装置を提供する。【解決手段】被覆体は通油体接続部の外形に見合う大きさの主体と該主体の両側に延設させ通油管外周に当接する取付部とを有して二分割に形成された第一の被覆体と第二の被覆体とからなり、前記第一の被覆体には前記第二の被覆体に嵌着するための突条体を該嵌着部位全体に具備し、前記第二の被覆体には前記第一の被覆体の突条体を嵌着させる切欠き部を該嵌着部位全体に具備した構成の通油体接続部の保護装置とする。【選択図】図５
2006112509.tif 000002
【特許請求の範囲】
【請求項１】
油類が内部を流通する通油体において、一方鍔体と他方鍔体とをパッキングを介して当接し該一対の通油体を締結部材により結合する接続部の外周を包囲するように装着した被覆体を備えさせた通油体接続部の保護装置であって、前記被覆体は前記接続部の外形に見合う大きさで二分割に形成した第一の被覆体と第二の被覆体とからなり、前記第一の被覆体には前記第二の被覆体との当接部に突条体を有し、前記第二の被覆体には前記第一の被覆体との当接部に前記突条体を嵌着させるための切欠き部を有したことを特徴とする通油体接続部の保護装置。
【請求項２】
油類が内部を流通する通油体において、一方鍔体と他方鍔体とをパッキングを介して当接し該一対の通油体を締結部材により結合する接続部の外周を包囲するように装着した被覆体を備えさせた通油体接続部の保護装置であって、前記被覆体は前記接続部の外形に見合う大きさの主体と該主体の両側に延設され通油管外周に当接して包囲する取付部とを備えて二分割に形成された第一の被覆体と第二の被覆体とからなり、前記第一の被覆体には前記第二の被覆体との当接部全体に突条体を有し、前記第二の被覆体には前記第一の被覆体との当接部全体に前記突条体を嵌着させるための切欠き部を有したことを特徴とする通油体接続部の保護装置。
【発明の詳細な説明】
【技術分野】
【０００１】
本発明は、油類が内部を流通する筒状の通油体において、その接続部の漏油防止や防蝕を行なう通油体接続部の保護装置に関する。
【背景技術】
【０００２】
油類が内部を流通する筒状の通油体、例えば、高電圧から通常の使用電圧に変換する変圧器には、この本体の内部の絶縁と冷却とを行なうための鉱油等の変圧器油が流通する通油管が配管されている。
【０００３】
そして、この通油管は、それぞれの機器あるいは装置との接続のため、図８に示すように鍔体２２ａ、２２ｂにより結合されている。
【０００４】
この結合にあっては、一方の通油体の鍔体２２ａと、他方の通油体の鍔体２２ｂとをコルク材等によるパッキング２３を介して当接し、ボルト・ナット等の締結部材２４で止めている。
【０００５】
しかし、この通油体２を流通する油ｓは、パッキング２３により通油体２外へ漏れ出さないように緊締されているが、変圧器等の運転中に発生するジュール熱によって流通する油ｓの温度が上昇して接続部３が高温となることで、あるいは風雨等でパッキング２３の劣化を引き起こす。また、各部の溝部に水が溜まって腐食も生ずるため、パッキング２３あるいは締結部材２４から漏油を起こしてしまう。
【０００６】
この課題を解決するため、例えばシーリング剤４をこの鍔体２２ａ、２２ｂや締結部材２４に塗布して漏油止めする方法があるが、屋外にあって常に風雨等に曝されている箇所では、シーリング剤４が剥げて短期間に漏油が生じて再補修をしなければならならない。
【０００７】
また、例えば風雨等を防ぎ雨水の進入を阻止して防蝕をするため、合成樹脂のカバーで両側から接続部３を挟み込むようにして被覆して前記カバーを接着剤により合掌状に接着する方法（例えば、特許文献１参照。）もあるが、張り出した接着代を設けなければならず、カバー全体が大きくなってしまう。つまり、通油管が入り組んだ箇所等において設置空間に制約がある場合には、前記カバーを取付けられなかったり作業がしにくいこともある。
【特許文献１】特開昭５０−３１４２３号公報
【発明の開示】
【発明が解決しようとする課題】
【０００８】
本発明は前記した問題点を解決するためになされたもので、通油管が入り組んだ箇所等、小さな設置空間であっても容易に取り付けができ、更には、漏れだした油の被覆体外への漏出を防ぐことができる通油体接続部の保護装置を提供するものである。
【課題を解決するための手段】
【０００９】
本発明の第１の手段は、油類が内部を流通する通油体において、一方鍔体と他方鍔体とをパッキングを介して当接し該一対の通油体を締結部材により結合する接続部の外周を包囲するように装着した被覆体を備えさせた通油体接続部の保護装置であって、前記被覆体は前記接続部の外形に見合う大きさで二分割に形成した第一の被覆体と第二の被覆体とからなり、前記第一の被覆体には前記第二の被覆体との当接部に突条体を有し、前記第二の被覆体には前記第一の被覆体との当接部に前記突条体を嵌着させるための切欠き部を有した通油体接続部の保護装置である。
【００１０】
また、本発明の第２の手段は、油類が内部を流通する通油体において、一方鍔体と他方鍔体とをパッキングを介して当接し該一対の通油体を締結部材により結合する接続部の外周を包囲するように装着した被覆体を備えさせた通油体接続部の保護装置であって、前記被覆体は前記接続部の外形に見合う大きさの主体と該主体の両側に延設され通油管外周に当接して包囲する取付部とを備えて二分割に形成された第一の被覆体と第二の被覆体とからなり、前記第一の被覆体には前記第二の被覆体との当接部全体に突条体を有し、前記第二の被覆体には前記第一の被覆体との当接部全体に前記突条体を嵌着させるための切欠き部を有した通油体接続部の保護装置である。
【発明の効果】
【００１１】
前記第一の被覆体に形成された突条体を前記第二の被覆体に形成された切欠き部に嵌着させて被覆する通油体接続部の保護装置としたことで、通油管が入り組んだ箇所等、小さな設置空間であっても被覆体を容易に取り付けることができ、取付後の被覆体内部への雨水等の浸入を防止することができる。
【００１２】
更には、第一の被覆体および第二の被覆体の主体の両側に延設させ通油管外周に当接して包囲する取付部を設けることで、取付後の被覆体内部がより密閉構造となるため、雨水等の進入を阻止すると共に、接続部からの漏油が発生しても被覆体の外部に漏れることを抑制することができる。
等の格別の効果を奏するものである。
【発明を実施するための最良の形態】
【００１３】
本発明を実施するための形態を、図１〜図７に基づき説明する。
【実施例１】
【００１４】
本発明の一実施例を図１〜図３に示した。図において、通油体２は通油管２１と接続部３とで構成され、例えば送電のための変圧器等の一部あるいはその付近に設置されたものや、管路に取り付けられたバルブ等の部位に設置されたものである。前記接続部３において、一対の鍔体２２ａ，２２ｂはコルク等のパッキング２３を介して当接し、鍔体２２ａ，２２ｂをボルト・ナット等の締結部材２４により結合した構成である。また、通油管２１の内部には変圧器等の内部の絶縁と冷却とを行なうための鉱油等の変圧器油ｓが流通している。
【００１５】
通油体２の接続部３には、該接続部３の外形に見合う大きさで包囲するように装着した被覆体１が設けられている。
【００１６】
前記被覆体１は例えば合成樹脂や耐蝕性に優れる金属、セラミックス等で構成され、図３に示すように、前記接続部３への取り付け前は第一の被覆体１１と第二の被覆体１２とに通油管２１の軸方向に対して二分割されている。また、第一の被覆体１１には前記第二の被覆体１２に嵌着するための突条体１１ａを前記第二の被覆体１２と当接する当接部１１ｂに設けており、第二の被覆体１２には前記第一の被覆体１１と当接する当接部１２ｂに前記突条体１１ａを嵌着させるための切欠き部１２ａを設けている。
【００１７】
次に、通油体２の接続部３への前記被覆体１の取り付けにおいては、まず、第一の被覆体１１の突条体１１ａおよび／または前記第二の被覆体１２の切欠き部１２ａの前記二の被覆体の当接面１１ｃ、１２ｃ等に接着剤２５を塗布した後、前記二の被覆体１１、１２を前記接続部３の外形を覆うように挟み込み、第一の被覆体１１の突条体１１ａと第二の被覆体１２の切欠き部１２ａを対応させて嵌合することにより接着する。
【００１８】
ところで、被覆体１を二分割して第一の被覆体１１には突条体１１ａを設け、前記第二の被覆体１２には第一の被覆体の突条体１１ａに対応する切欠き部１２ａを設けて嵌着できる構成としたのは、前記突条体１１ａと対応する切欠き部１２ａが咬み合って接続部３への取り付けを容易とするためであり、また、設置空間に制約がある場所であっても接着代が張り出さないため取付けができるためである。
【００１９】
なお、前記した第一の被覆体１１の突条体１１ａは当接部１１ｂの一部に設けてもよく、その場合対応する切欠き部１２ａは前記当接部１２ｂの全部または一部に設けることができる。
【００２０】
また、被覆体１と通油管２１との当接する部位にも接着剤２５を塗布して被覆体内部を密閉構造にしても構わない。この場合、通油管２１と被覆体１の接着性を良くするため、予め接着する部位の通油管２１外面をヤスリがけ等によりペンキ等を剥がして清浄な面にしておくことが望ましい。
【実施例２】
【００２１】
次に、本発明の他の実施例を図４〜図５に基づき説明する。この実施例における被覆体１１は通油体２の接続部３を覆う主体１１ｆとその両側に延設され通油管２１の外周に当接する取付部１１ｇ、１１ｇとを備え、被覆体１２は被覆体１１と同様に主体１２ｆとその両側に延設され取付部１２ｇ、１２ｇとを備えている。
【００２２】
また、前記主体１１ｆおよび取付部１１ｇには突条体１１ａが前記第二の被覆体１２との当接部１１ｂ全体に設けられ、前記主体１２ｆおよび取付部１２ｇには前記第一の被覆体１１との当接部１２ｂ全体に前記突条体１１ａを嵌着させるための切欠き部１２ａが設けられている。
【００２３】
次に、本実施例において、接続部３への前記被覆体１の取り付け方法について説明する。まず、取付部１１ｇおよび１２ｇの当接面１１ｄ、１２ｄが当接する通油管２１の当接面２７をヤスリがけ等によりペンキ等を剥がして清浄な面を出す。続いて第一の被覆体１１の突条体１１ａおよび／または前記第二の被覆体１２の切欠き部１２ａの当接面１１ｃ、１２ｃの全面に渡って接着剤２５を塗布すると共に、当接面１１ｄ、１２ｄおよび／または対応する通油管２１の当接面２７の全面に渡って接着剤２５を塗布した後、前記二の被覆体１１、１２を前記接続部３の外形および通油管２１の当接面２７を覆うように挟み込んで突条体１１ａと切欠き部１２ａを対応させて嵌合させることにより接着する。
【００２４】
ところで、第一の被覆体１１と第二の被覆体１２の当接部全体に渡って突条体１１ａと切欠き部１２ａを設け対応させて接着し、更には取付部１１ｇ、１２ｇを設けてその当接面１１ｄ、１２ｄと通油管２１の当接面２７を接着させたのは、当接面を広くとれて接着剤による前記二の被覆体１１、１２の密着力を高めることができるためであり、それによって被覆体１の内部がより気密、水密、油密構造となるためである。
【００２５】
また、接続部３に取り付ける前に前記当接面２７をヤスリがけ等してペンキを剥がし清浄な面としたのは、前記当接面２７と前記当接面１１ｄ、１２ｄとの接着性を高めるためである。
【００２６】
前記の構成とすることで被覆体１内部はより密閉構造となるため、雨水等の進入を阻止すると共に接続部３からの漏油が発生しても被覆体１の外部に漏れることを抑制することができる。
【００２７】
ところで、図６は本実施例に示したような第一の被覆体１１および第二の被覆体１２に相当する模擬被覆体５１、模擬被覆体５２の当接する部位の断面図であり、前記突条体１１ａに相当する突条体５１ａおよび前記切欠き部１２ａに相当する切欠き５２ａを設けて、当接面５１ｃ、当接面５２ｃ全体に接着剤を塗布して接着した状態で強度特性についての模擬試験を行ったが、いずれも突条体５１ａおよび切欠き部５２ａが無い場合の模擬試験に比べ矢印ｘ方向からの押圧に対する強度は向上していた。
【００２８】
なお、前記模擬試験において、通常被覆体として使用されるポリ塩化ビニル（ＰＶＣ）材料を用いた模擬被覆体５１および模擬被覆体５２にあっては、模擬被覆体５１および模擬被覆体５２の板厚を３ｍｍを使用し、板厚の半分の厚さａの突条体５１ａおよび切欠き部５２ａを設け、接着剤をポリサルファイド液状変性エポキシ樹脂（硬化剤は主成分として液状ポリメルカプタン）とし、板厚に垂直方向の長さｌを種々変えた場合には、図７に示したように長さｌが増加するにつれて強度は増すが、１０ｍｍ以上では強度は殆ど変わらなかった。また、前記長さｌが１０ｍｍ未満の模擬試験ではいずれも当接面５１ｃ、５２ｃの剥離であったのに対し、１０ｍｍ以上の模擬試験では前記当接部５１ｂ、５２ｂ付近の模擬被覆体５１または模擬被覆体５２の破断であった。これは、強度は長さｌが１０ｍｍ未満では接着剤の接着力に依存し、１０ｍｍ以上では模擬被覆体５１、５２の強度に依存するためであると考えられる。
【図面の簡単な説明】
【００２９】
【図１】本発明の一実施例を示す一部断面図である。
【図２】図１のＡ−Ａ断面を示す図である。
【図３】本発明の一実施例を示す被覆体の取り付け前の一部断面斜視図である。
【図４】本発明の他の実施例を示す一部断面図である。
【図５】本発明の他の実施例を示す被覆体の取り付け前の一部断面斜視図である。
【図６】模擬試験における被覆体当接部付近の断面図である。
【図７】模擬試験において被覆材としてポリ塩化ビニルを使用した時の強度を示すグラフである。
【図８】従来例を示す一部断面図である。
【符号の説明】
【００３０】
１      被覆体
１１    第一の被覆体
１２    第二の被覆体
１１ａ  突条体
１２ａ  切欠き部
１１ｂ、１２ｂ  当接部
１１ｃ、１２ｃ  当接面
１１ｄ、１２ｄ  当接面
１１ｆ、１２ｆ  主体
１１ｇ、１２ｇ  取付部
２      通油体
２１    通油管
２２ａ、２２ｂ  鍔体
２３    パッキング
２４    締結部材
３      接続部
【図１】
2006112509.tif 000003
【図２】
2006112509.tif 000004
【図３】
2006112509.tif 000005
【図４】
2006112509.tif 000006
【図５】
2006112509.tif 000007
【図６】
2006112509.tif 000008
【図７】
2006112509.tif 000009
【図８】
2006112509.tif 000010